(57)【特許請求の範囲】
【請求項１】
加熱部による加熱開始または加熱停止を指令するための各操作に基づいて、前記加熱部で発生する排気ガスを外部に排出する排気装置の駆動または停止を制御する赤外線信号を、前面操作パネルに備えた赤外線信号送出部から前方に向けて送出する加熱調理器であって、
前記前面操作パネルは、パネル本体と、該パネル本体の前面に沿って装着される化粧プレートとを備え、
前記パネル本体及び前記化粧プレートは、赤外線信号を前方に向けて透過させる赤外線信号透過部をそれぞれ有すると共に、前記パネル本体及び前記化粧プレートの各赤外線信号透過部が重複されて前記赤外線信号送出部が形成され、
赤外線信号が透過可能な透過着色部材が、前記パネル本体と前記化粧プレートとの間に、前記各赤外線信号透過部に重複するように装着されるものであり、
前記化粧プレートは、前記赤外線信号透過部としての透孔を有し、この透孔に透明のカバー体が、嵌入装着され、
前記透過着色部材が、前記カバー体と前記パネル本体とによって挟持される、
ことを特徴とする加熱調理器。
【請求項２】
加熱部による加熱開始または加熱停止を指令するための各操作に基づいて、前記加熱部で発生する排気ガスを外部に排出する排気装置の駆動または停止を制御する赤外線信号を、前面操作パネルに備えた赤外線信号送出部から前方に向けて送出する加熱調理器であって、
前記前面操作パネルは、パネル本体と、該パネル本体の前面に沿って装着される化粧プレートとを備え、
前記パネル本体及び前記化粧プレートは、赤外線信号を前方に向けて透過させる赤外線信号透過部をそれぞれ有すると共に、前記パネル本体及び前記化粧プレートの各赤外線信号透過部が重複されて前記赤外線信号送出部が形成され、
赤外線信号が透過可能な透過着色部材が、前記パネル本体と前記化粧プレートとの間に、前記各赤外線信号透過部に重複するように装着されるものであり、
前記化粧プレートは、前記赤外線信号透過部としての透孔を有し、
前記透過着色部材は、前面隆起部を有すると共に、該前面隆起部が、前記化粧プレートの前記透孔に嵌入されて装着される、
ことを特徴とする加熱調理器。
【請求項３】
加熱部による加熱開始または加熱停止を指令するための各操作に基づいて、前記加熱部で発生する排気ガスを外部に排出する排気装置の駆動または停止を制御する赤外線信号を、前面操作パネルに備えた赤外線信号送出部から前方に向けて送出する加熱調理器であって、
前記前面操作パネルは、パネル本体と、該パネル本体の前面に沿って装着される化粧プレートとを備え、
前記パネル本体及び前記化粧プレートは、赤外線信号を前方に向けて透過させる赤外線信号透過部をそれぞれ有すると共に、前記パネル本体及び前記化粧プレートの各赤外線信号透過部が重複されて前記赤外線信号送出部が形成され、
赤外線信号が透過可能な透過着色部材が、前記パネル本体と前記化粧プレートとの間に、前記各赤外線信号透過部に重複するように装着されるものであり、
前記化粧プレートは、その前面に、赤外線を通さない表面化粧層が、前記赤外線信号透過部を除いて形成された透明な硬質樹脂材で構成され、
前記透過着色部材が、前記化粧プレートと前記パネル本体とによって挟持される、
ことを特徴とする加熱調理器。
【請求項４】
前記透過着色部材が、透明な樹脂シート基材に赤外線信号が透過可能なカラー印刷を施した着色シート片である、
請求項１または３に記載の加熱調理器。
【請求項５】
グリル庫を備え、該グリル庫を挟む左右両側に、前記前面操作パネルがそれぞれ設けられ、前記前面操作パネルには、前記加熱部による加熱開始及び加熱停止を指令するために操作される操作具が装着され、前記左右両側の各前面操作パネルにおける前記操作具の近傍に前記赤外線信号送出部が配置される、
請求項１ないし４のいずれかに記載の加熱調理器。
【発明の詳細な説明】
【技術分野】
【０００１】
本発明は、加熱調理器に係り、詳しくは、レンジフード等と組合せて利用される加熱調理器に関する。
【背景技術】
【０００２】
加熱調理器の上方に設置されて加熱作動によって発生する排気ガスを外部に排出するレンジフードにおける排気ファンの駆動及び停止や風量調節などの操作は、レンジフードの前端部に備えられた操作部で行うのが一般的であるが、近年では、排気ファンの駆動及び停止や排気量の調節などの操作を、加熱調理器の前面から容易に行えるように構成したものが実用化されている。
【０００３】
例えば、特許文献１に示されているように、排気ファンの駆動または停止を制御する赤外線信号を、前面操作パネルに装備した電源スイッチ操作ボタンに組み込んだ透光部から前方に向けて送出し、送出した赤外線信号が、加熱調理器の前方に立つユーザーの腹部や胸部で反射されて、レンジフードの受信部で受信されるようにして、加熱調理器の上方に離れて設置されているレンジフードの排気ファンを、無線リモコン方式で作動制御する加熱調理器が知られている。
【先行技術文献】
【特許文献】
【０００４】
【特許文献１】特開２０１３−４４５０８号公報
【発明の概要】
【発明が解決しようとする課題】
【０００５】
一般に、赤外線を通し、可視光線や紫外線を遮断する赤外線透過機能を有する樹脂材料は黒色であり、上記特許文献１においては、透光部を構成する電源スイッチ操作ボタンは、赤外線を透過させる黒色の樹脂材料で構成されている。
【０００６】
しかし、黒色の透光部は、前面操作パネルの表面色調によっては調和しないで目立ちやすく、前面操作パネルの外観の意匠性を損なう場合がある。
【０００７】
本発明は、このような実情に着目してなされたものであって、無線リモコン方式で排気装置の駆動および停止を制御する加熱調理器において、前面操作パネルの外観の意匠性を高めて、美観や見栄えの高いものにすること目的とする。
【課題を解決するための手段】
【０００８】
上記目的を達成するために、本発明では次のように構成している。
【０００９】
（１）本発明は、加熱部による加熱開始または加熱停止を指令するための各操作に基づいて、前記加熱部で発生する排気ガスを外部に排出する排気装置の駆動または停止を制御する赤外線信号を、前面操作パネルに備えた赤外線信号送出部から前方に向けて送出する加熱調理器であって、
前記前面操作パネルは、パネル本体と、該パネル本体の前面に沿って装着される化粧プレートとを備え、
前記パネル本体及び前記化粧プレートは、赤外線信号を前方に向けて透過させる赤外線信号透過部をそれぞれ有すると共に、前記パネル本体及び前記化粧プレートの各赤外線信号透過部が重複されて前記赤外線信号送出部が形成され、
赤外線信号が透過可能な透過着色部材が、前記パネル本体と前記化粧プレートとの間に、前記各赤外線信号透過部に重複するように装着されるものであり、
前記化粧プレートは、前記赤外線信号透過部としての透孔を有し、この透孔に透明のカバー体が、嵌入装着され、
前記透過着色部材が、前記カバー体と前記パネル本体とによって挟持される。
【００１０】
本発明によると、化粧プレートの表面質感や表面色相に調和する色相の透過着色部材をパネル本体と化粧プレートとの間に装着することで、美観や見栄えの優れた前面操作パネルを構成することができる。
更に、透過着色部材が直接に外部に露出されることがなく、油汚れ等によって透過着色部材の信号透過性能が劣化することはない。また、カバー体の露出部分である赤外線信号送出部が汚れても、簡単容易に清掃除去することができる。
【００１１】
また、各種材質や表面色相の化粧プレート、及び、各種色相の透過着色部材をオプションとして用意しておき、ユーザーの好みに叶う外観の加熱調理器を提供することができる。
【００１２】
（２）本発明は、加熱部による加熱開始または加熱停止を指令するための各操作に基づいて、前記加熱部で発生する排気ガスを外部に排出する排気装置の駆動または停止を制御する赤外線信号を、前面操作パネルに備えた赤外線信号送出部から前方に向けて送出する加熱調理器であって、
前記前面操作パネルは、パネル本体と、該パネル本体の前面に沿って装着される化粧プレートとを備え、
前記パネル本体及び前記化粧プレートは、赤外線信号を前方に向けて透過させる赤外線信号透過部をそれぞれ有すると共に、前記パネル本体及び前記化粧プレートの各赤外線信号透過部が重複されて前記赤外線信号送出部が形成され、
赤外線信号が透過可能な透過着色部材が、前記パネル本体と前記化粧プレートとの間に、前記各赤外線信号透過部に重複するように装着されるものであり、
前記化粧プレートは、前記赤外線信号透過部としての透孔を有し、
前記透過着色部材は、前面隆起部を有すると共に、該前面隆起部が、前記化粧プレートの前記透孔に嵌入されて装着される。
【００１３】
本発明によると、化粧プレートの表面質感や表面色相に調和する色相の透過着色部材をパネル本体と化粧プレートとの間に装着することで、美観や見栄えの優れた前面操作パネルを構成することができる。
【００１４】
（３）本発明は、加熱部による加熱開始または加熱停止を指令するための各操作に基づいて、前記加熱部で発生する排気ガスを外部に排出する排気装置の駆動または停止を制御する赤外線信号を、前面操作パネルに備えた赤外線信号送出部から前方に向けて送出する加熱調理器であって、
前記前面操作パネルは、パネル本体と、該パネル本体の前面に沿って装着される化粧プレートとを備え、
前記パネル本体及び前記化粧プレートは、赤外線信号を前方に向けて透過させる赤外線信号透過部をそれぞれ有すると共に、前記パネル本体及び前記化粧プレートの各赤外線信号透過部が重複されて前記赤外線信号送出部が形成され、
赤外線信号が透過可能な透過着色部材が、前記パネル本体と前記化粧プレートとの間に、前記各赤外線信号透過部に重複するように装着されるものであり、
前記化粧プレートは、その前面に、赤外線を通さない表面化粧層が、前記赤外線信号透過部を除いて形成された透明な硬質樹脂材で構成され、
前記透過着色部材が、前記化粧プレートと前記パネル本体とによって挟持される。
【００１５】
本発明によると、化粧プレートの表面質感や表面色相に調和する色相の透過着色部材をパネル本体と化粧プレートとの間に装着することで、美観や見栄えの優れた前面操作パネルを構成することができる。
【００１６】
（４）本発明の好ましい実施態様では、前記透過着色部材が、透明な樹脂シート基材に赤外線信号が透過可能なカラー印刷を施した着色シート片である。
【００１７】
この実施態様によると、大判の着色シートを作成してこれを裁断、あるいは、打ち抜くことで所望の寸法形状の着色シート片を安価に得ることができる。
【００１８】
（５）本発明の他の実施態様では、グリル庫を備え、該グリル庫を挟む左右両側に、前記前面操作パネルがそれぞれ設けられ、前記前面操作パネルには、前記加熱部による加熱開始及び加熱停止を指令するために操作される操作具が装着され、前記左右両側の各前面操作パネルにおける前記操作具の近傍に前記赤外線信号送出部が配置される。
【００１９】
この実施態様によると、ユーザーが加熱調理器の正面中央に立たなくても、赤外線信号送出部から送出された赤外線信号を確実にユーザーに向けて照射することができる。
【発明の効果】
【００２０】
本発明によれば、化粧プレートの材質や表面色相に調和する色相を呈する赤外線信号送出部を容易に構成することができ、前面操作パネルを美観や見栄えを高いものにすることができる。
【図面の簡単な説明】
【００２１】
【図１】加熱調理台とレンジフードを示す側面図である。
【図２】加熱調理台の斜視図である。
【図３】本発明の一実施形態に係る加熱調理器の斜視図である。
【図４】開閉式の操作部を開いた状態の加熱調理器の斜視図である。
【図５】前面操作パネルの分解斜視図である。
【図６】赤外線信号送出部の横断平面図であり、（ａ）は分解状態、（ｂ）は組付け状態を示す。
【図７】別実施形態の赤外線信号送出部を示し、（ａ）は透過着色部材の斜視図、（ｂ）は組付け状態の横断平面図である。
【図８】更に別実施形態の赤外線信号送出部を示す横断平面図であり、（ａ）は分解状態、（ｂ）は組付け状態を示す。
【発明を実施するための形態】
【００２２】
以下、本発明の実施形態について図面を参照しながら説明する。
【００２３】
図１に、加熱調理台Ａとその上方に配備されたレンジフードＢの側面が、また、図２に、加熱調理台Ａの全体が、また、図３，図４に、加熱調理台Ａに組み込まれる加熱調理器Ｃの全体がそれぞれ示されている。
【００２４】
図３，図４に示すように、この実施形態の加熱調理器Ｃは、箱形に形成された板金構造の本体１の上部に、加熱部として最大火力の異なる３つのコンロバーナー２を装備すると共に、前蓋付きのグリルトレーを前面から出し入れ可能に装着したグリル庫３を左右中央に備え、かつ、グリル庫３の左右に前面操作パネル４を配備するとともに、各前面操作パネル４の下側に、手前に引出し回動可能な開閉式操作部５をそれぞれ備えたビルトインタイプに構成されたものである。
【００２５】
この加熱調理器Ｃは、キッチンキャビネット６のカウンタートップに形成した矩形開口に上方から落とし込み装着される。また、コンロ上部は、天板７で覆われると共に、コンロ奥端の上面にグリル庫３の燃焼排ガスを排出するためのグリル排気口８が設けられ、かつ、天板７の上面に各コンロバーナー２に対応した五徳９が載置支持されている。
【００２６】
左側の前面操作パネル４には、手前左側と奥側の各コンロバーナー２の点火/消火と火力調節を行うための回転操作ノブからなる２つの操作具１１が左右に並べて装備されるとともに、右側の前面操作パネル４には、グリル庫３におけるグリルバーナー（図示せず）と手前右側のコンロバーナー２の点火/消火と火力調節を行うための回転操作ノブからなる２つの操作具１１が左右に並列装備されている。
【００２７】
各操作具１１は、プッシュオン/プッシュオフ式の回動ダイヤル型に構成されており、押し込み操作の都度、前方突出と退入を繰り返すとともに、前方突出で電源が入って点火指令が出され、退入で消火指令が出されて電源が切られ、かつ、前方突出状態で操作具１１を回動操作することで火力調節を行うように構成されている。
【００２８】
コンロバーナー用の操作具１１の周囲には、複数のインジケータ用の小窓１２がそれぞれ円弧状に並列配備されており、各コンロバーナー２の火力が小窓１２の点灯数で表示されるようになっている。各小窓１２の背部には、図示されていない操作ケースに、ＬＥＤランプが配設されており、火力の調節具合に応じて所定のＬＥＤランプが発光制御される。
【００２９】
また、各前面操作パネル４の前面下部には、各操作具１１の操作を不能にするチャイルドロックレバー１３が備えられている。
【００３０】
前記操作具１１及びチャイルドロックレバー１３は、図示されていない背部の操作ケースに組み付けられており、前面操作パネル４を操作ケースの前面に取り付けることで、操作具１１及びチャイルドロックレバー１３が、前面操作パネル４の開口を通して前方に露出される。
【００３１】
左側の開閉式操作部５は、各コンロバーナー２に関わる各種の設定を指令するコンロ用の設定入力パネル１６を、下端支点を中心にして回動することで本体１から引出し収納自在に備えており、収納状態において、上方の前面操作パネル４と面一に連なるようにステンレス鋼板を貼り付けたパネルカバー１７で覆われている。また、右側の開閉式操作部５は、グリルバーナーにおける点火/消火や火力調整を指令するグリル用の設定入力パネル１６を、本体１から引出し収納自在に備えており、その前面が同様なパネルカバー１７で覆われている。
【００３２】
各前面操作パネル４における操作具１１の上方近傍には、操作具１１のオン/オフ操作などに応じて、制御部が着火検出及び消火検出すると赤外線信号を前方に向けて送出する赤外線信号送出部１８が設けられている。
【００３３】
赤外線信号送出部１８は、図示されていない背部の操作ケース側から発せられた赤外線信号を、前面操作パネル４を透過して前方に送出するものであり、以下のように構成されている。なお、左右の前面操作パネル４は、基本的には同様に構成されているので、ここでは、左側の前面操作パネル４についてのみ図面を参照して説明する。
【００３４】
図５は前面操作パネルの分解斜視図であり、図６は赤外線信号送出部１８の横断平面図であり、同図（ａ）は分解状態、同図（ｂ）は組付け状態をそれぞれ示す。
【００３５】
図５に示すように、前面操作パネル４は、操作ケース（図示せず）に連結される不透明樹脂材からなるパネル本体２１と、その前面に装着されるステンレス鋼板製の化粧プレート２２とを備えている。
【００３６】
化粧プレート２２には、操作具１１が挿通される一対の開口１４と、チャイルドロックレバー１３が挿通される開口１５と、インジケータ用の小窓１２群が打ち抜き形成されている。また、各操作具１１に対応して円弧状に配列された小窓１２群は、透明の硬質樹脂材からなる円弧状のカバー板２３で裏面側から塞がれている。他方、パネル本体２１には、化粧プレート２２の背面に吐出したカバー板２３を係入する円弧状の凹部２４が形成されるとともに、その凹部２４の底面には、円弧状の開口２５が形成されており、図示されていない操作ケースに配設されたＬＥＤランプが、開口２５を介して小窓１２群に臨設され、発光作動したＬＥＤランプに対応する小窓１２のみが点灯表示されるようになっている。
【００３７】
パネル本体２１と化粧プレート２２のそれぞれには、レンジフード作動用の赤外線信号を前方に透過させる赤外線信号透過部２７，２８が備えられ、これら赤外線信号透過部２７，２８が、前後に重複されて赤外線信号送出部１８が構成される。
【００３８】
パネル本体２１の赤外線信号透過部２７は、図示されていない操作ケースに組み付けられた赤外線ＬＥＤ２９（図６（ｂ）参照）に臨む矩形の透孔として形成され、また、化粧プレート２２の赤外線信号透過部２８は、パネル本体２１の透孔（赤外線信号透過部）２７に重複する矩形の透孔として形成されている。
【００３９】
化粧プレート２２の透孔（赤外線信号透過部）２８には、透明樹脂材からなるカバー体３０が嵌入装着されている。このカバー体３０は、透孔２８より大きい矩形のプレート状に形成されており、図６に示すように、化粧プレート２２の裏面側から装着されて、その表面に備えた矩形の前面隆起部３０ａが、透孔２８に嵌入され、必要に応じて化粧プレート２２の背面に貼り付け固定される。
【００４０】
パネル本体２１における透孔（赤外線信号透過部）２７の前面側には、化粧プレート２２の裏面側から突出したカバー体３０を収納する矩形の凹部３１が形成され、凹部３１にカバー体３０を収納することで、パネル本体２１の前面に化粧プレート２２が密着するようになっている。
【００４１】
前記凹部３１の内底には、カバー体３０と同寸法の矩形に形成した透過着色部材としての着色シート片３２が係入支持され、この着色シート片３２が、カバー体３０とパネル本体２１とで前後から挟持されるようになっている。
【００４２】
着色シート片３２は、透明な樹脂シート基材に、赤外線信号が透過可能なカラー印刷を施して形成されたものであり、前面操作パネル４の赤外線信号送出部１８において、着色シート片３２の色相がカバー体３０を通して前方から見えるようになっている。着色シート片３２の色相は、化粧プレート２２の表面質感や表面色相に合ったものが望ましく、ステンレス鋼板製の化粧プレート２２の場合、例えば、青系、あるいは、緑系の色相が良く合う。
【００４３】
赤外線信号送出部１８から見える着色シート片３２の色相を、化粧プレート２２の表面質感や表面色に合ったものに選択しておくことで、前面操作パネル４全体としての美観や見栄えを向上することができる。
【００４４】
本実施形態に係る加熱調理器は以上のように構成されており、操作具１１を操作していずれかのコンロバーナー２、あるいは、グリルバーナの点火を行うと、赤外線ＬＥＤ２９から赤外線信号が送信され、送信された赤外線信号は、前面操作パネル４の赤外線信号送出部１８を透過して前方に送出され、図１に示すように、加熱調理台Ａの前に立つユーザーの腹部や胸部で反射し、反射した赤外線信号が、レンジフードＢに備えられた受信部３３で受信され、フード内の排気ファン３４が自動的に起動制御される。
【００４５】
なお、ユーザーは加熱調理台Ａの左右中央に立つことが多いので、図６（ｂ）に示すように、左側の前面操作パネル４における赤外線信号送出部１８に対応する左右一対の赤外線ＬＥＤ２９は、赤外線が加熱調理台Ａの左右中央側に向けて送出されるように、一方（左側）の赤外線ＬＥＤ２９が内向きに傾斜して設置されている。また、図示されていないが、右側の前面操作パネル４の赤外線信号送出部１８からも、赤外線が加熱調理台Ａの左右中央側に向けて送出されるように赤外線ＬＥＤ２９が設置されている。
【００４６】
この場合、左右いずれかの前面操作パネル４の操作具１１が操作されると、左右の赤外線信号送出部１８から共に赤外線信号を送出するようにしてもよく、あるいは、操作された前面操作パネル４の赤外線信号送出部１８からのみ赤外線信号を送出するようにしてもよい。
【００４７】
以上のように本実施形態によれば、パネル本体２１と化粧プレート２２との間に装着する着色シート片３２として、様々な色相の着色シート片３２を選択することができるので、赤外線信号送出部１８の色相を、化粧プレート２２の表面質感や表面色相に調和させることができ、美観が向上する。
【００４８】
しかも、パネル本体２１と化粧プレート２２との間に装着する着色シート片３２を選択するだけで、様々な色相に対応できるので、安価な構成で美観を向上させることができる。
【００４９】
［その他の実施形態］
本発明は、以下のような形態で実施することもできる。
【００５０】
（１）赤外線信号が透過可能な透過着色部材３２としては、上記のように薄い着色シート片を使用する他に、透明な硬質樹脂プレートに赤外線信号が透過可能なカラー印刷を施した着色プレート片を用いることもできる。
【００５１】
（２）図７に示すように、透過着色部材３２を、透明な硬質樹脂材からなる矩形のプレート片に形成するとともに、その裏面に赤外線信号が透過可能なカラー印刷層３２ａを形成し、かつ、プレート片の表面に化粧プレート２２の透孔２８に嵌入する前面隆起部３２ｂを形成することで、透過着色部材３２で上記したカバー体３０を兼用することもできる。
【００５２】
（３）図８に示すように、化粧プレート２２を透明の硬質樹脂材で構成し、メタリック塗装、メタリック蒸着、金属箔の貼り付け、あるいは、各種塗料の塗布、等によって、赤外線を通さない表面化粧層３５をパネル前面に形成するとともに、表面化粧層３５の無い透明部位を赤外線信号透過部２８として残し、この化粧プレート２２とパネル本体２１との間に、赤外線信号が透過可能な透過着色部材（着色シート片、あるいは、着色プレート片）３２を位置決め挟持する形態で赤外線信号送出部１８を形成することもできる。
【００５３】
（４）透過着色部材は、赤外線信号が透過可能なカラー印刷を施した樹脂に限らず、樹脂自体を、赤外線信号が透過可能な着色樹脂としてもよい。
【００５４】
（５）上記実施形態では、加熱部としてガスバーナを例示しているが、加熱部はガスバーナに限定されるものではなく、電気ヒータ、ＩＨヒータ等を用いるなどの種々の加熱部を用いた加熱調理器Ｃに適用可能である。
【００５５】
（６）加熱調理器Ｃは必ずしもビルトインタイプに限られるものではなく、据え置き型の加熱調理器に本発明を適用することもできる。
【符号の説明】
【００５６】
２                加熱部
３                グリル庫
４                前面操作パネル
１１              操作具
１８              赤外線信号送出部
２１              パネル本体
２２              化粧プレート
２７              赤外線信号透過部
２８              赤外線信号透過部
３０              カバー体
３１              凹部
３２              透過着色部材
【図１】
0006584193.tif 000002
【図２】
0006584193.tif 000003
【図３】
0006584193.tif 000004
【図４】
0006584193.tif 000005
【図５】
0006584193.tif 000006
【図６】
0006584193.tif 000007
【図７】
0006584193.tif 000008
【図８】
0006584193.tif 000009